(57)【要約】【課題】患者間や使用時間による薬の量の違いや、薬の形状や大きさの変更に柔軟に対応可能で、１回に使用する薬を、薬の量や形状、大きさに関わらず収納することができ、収納スペースの無駄な空間を減らすこともできる薬管理システムおよび薬収納用ケースを提供する。【解決手段】複数の収納ケース１１が、それぞれ使用者が１回に使用する薬を収納可能な大きさを有し、それぞれ別体として設けられている。複数の検知手段１２が、対応する収納ケース１１からの薬の取り出しを検知可能に、各収納ケース１１に対応して設けられている。記録手段１３が、各検知手段１２に接続され、各検知手段１２により検知された薬の取り出し情報を記録可能に設けられている。【選択図】図１
2015213583.tif 000002
【特許請求の範囲】
【請求項１】
それぞれ使用者が１回に使用する薬を収納可能な大きさを有し、それぞれ別体として設けられた複数の収納ケースと、
対応する収納ケースからの前記薬の取り出しを検知可能に、各収納ケースに対応して設けられた複数の検知手段と、
各検知手段に接続され、各検知手段により検知された前記薬の取り出し情報を記録可能に設けられた記録手段とを、
有することを特徴とする薬管理システム。
【請求項２】
各収納ケースは、それぞれ使用者が１回に使用する薬を収納可能に、それぞれ複数種類の異なる大きさのうちのいずれか１つの大きさを有していることを特徴とする請求項１記載の薬管理システム。
【請求項３】
各収納ケースは前記薬を収納するための収納部を有し、前記収納部は開閉可能に設けられ、
各検知手段は、対応する収納ケースの前記収納部が開かれたことを検知し、
前記記録手段は、前記薬の取り出し情報として、各検知手段により検知された前記収納部が開かれた日時を、対応する収納ケースに関連付けて記録することを
特徴とする請求項１または２記載の薬管理システム。
【請求項４】
各収納ケースは、互いに積み重ね可能および／または横方向に連結可能であることを特徴とする請求項１乃至３のいずれか１項に記載の薬管理システム。
【請求項５】
各収納ケースに収納された前記薬を使用する日時を、各収納ケースに対応させて記憶しておく予定記憶手段と、
前記予定記憶手段に記憶された使用日時に、対応する検知手段により前記薬の取り出しを検知しなかったとき、その未検知情報を、通信回線を介して前記薬の使用を管理する管理局に送信する通信手段とを
有することを特徴とする請求項１乃至４のいずれか１項に記載の薬管理システム。
【請求項６】
請求項１乃至５のいずれか１項に記載の薬管理システムで使用される薬収納用ケースであって、
使用者が１回に使用する薬を収納するための収納ケースと、
前記収納ケースからの前記薬の取り出しを検知可能に設けられた検知手段とを、
有することを特徴とする薬収納用ケース。
【発明の詳細な説明】
【技術分野】
【０００１】
本発明は、薬管理システムおよび薬収納用ケースに関する。
【背景技術】
【０００２】
昨今の製薬産業の傾向や高齢者をとりまく社会的環境の影響により薬物療法の形態は大きく変遷し、その変化は特に高齢者において顕著に表れている。具体的な特徴として、（ａ）同時に併用する定期処方薬全体の総数が多いこと、（ｂ）多くの剤型の薬剤が開発されてきたことを受け、内服薬以外に貼付剤・吸入剤・注射剤など複数の剤型の薬剤を併用していること、（ｃ）定期処方薬の内容変更（薬剤の種類・量の調整、使用時間の変更）が比較的多いこと、（ｄ）処方元が複数存在すること（Multiple prescriber）、の４点が挙げられる。
【０００３】
定期的に使用する薬剤総数の増加は日本だけでなく多くの先進国で共通して生じている。例えば、スコットランドの高齢患者300,000人に対する調査では、併用薬数の平均が、1995年には3.3種類だったものが、2010年には4.4種類に増えており、５種類以上併用している患者の割合は12%から22%に上昇し、１０種類以上併用している患者の割合は1.9%から5.8%に上昇したことが報告されている（例えば、非特許文献１参照）。
【０００４】
使用薬剤総数の増加への対策として、「事前仕分け」が普及している。これは、「使用前に管理しやすい単位で使用時間ごとにまとめて分けておく」管理方法で、薬局で行われるものと、患者・介護者が行うものとに分けられる。薬局で行われる事前仕分けは、「一包化」と呼ばれ、医師の指示により薬剤師が行うものである。患者・介護者が行う事前仕分けとしては、ケース型や壁掛けシート型などの市販の仕分け容器を用いるものが通常である。
【０００５】
上記（ａ）〜（ｄ）の理由から、特に高齢者の薬物療法においては、使用薬全体の包括的な評価（Medication review）を継続的・定期的に行う必要性が高まっている。その評価には、複数の評価項目が含まれる。「薬物治療アドヒアランス（Medication adherence：以下「アドヒアランス」と呼ぶ）」は、「患者自身の治療への積極的な参加」を意味する重要な評価項目のひとつである。具体的には、「使用すべき薬剤全体のうち、正しく使われている薬剤の割合」で表される。「正しく使われている薬剤の割合」には、「薬剤の用量の正しさ」と「薬剤の使用時間の正しさ」の２つの要素が含まれるが、使用時間の正しさについては評価が難しいことから、使用用量の正しさのみを評価することが多い。
【０００６】
アドヒアランスを評価する場合、使用タイミングごとに直接確認するリアルタイムのモニタリングが最も精度が高い。しかし実際には、特に高齢者において、ある一定期間の過去をまとめて振り返り評価する「後方視的評価」が主流で、ピルカウント（残薬確認）や薬剤管理日誌記載などが用いられている。これは、核家族化の進行で独居や高齢夫婦のみの世帯が増えていること、若い世代が同居していても日中は働きに出ていて夜の限られた時間や週末のみ共に過ごす家庭が多くなっていること、等が原因である。
【０００７】
後方視的評価を行う際に、事前仕分けで用いられるケース型やシート型の容器を利用することが多い。これは、忘れや間違いの発生を、該当する収納部分の残薬を確認することで把握できるためである。このため、薬剤の事前仕分けによる管理に用いていたケース型やシート型のデバイスに、アドヒアランスの評価や改善を目的とした機能を付加したデバイスが複数考案されている。このようなデバイスとして、例えば、使用時間になるとアラームを鳴らしたり、携帯端末にメッセージを送信したりすると共に、収納部から薬剤を取り出す操作の発生を記録するものが考案されている（例えば、特許文献１乃至４参照）。
【先行技術文献】
【非特許文献】
【０００８】
【非特許文献１】Gurthrie and Makubate, Reproduced from Primary Health care research and Development, 2012, Vol.13, suppl.S1, 45
【特許文献】
【０００９】
【特許文献１】特開２０１１−３０９３４号公報
【特許文献２】特開２００６−２３０８５０号公報
【特許文献３】特開２０１１−２００６７７号公報
【特許文献４】特開２００４−１８１１３７号公報
【発明の概要】
【発明が解決しようとする課題】
【００１０】
しかしながら、特許文献１乃至４に記載のような服薬管理装置は、薬剤の収納部位の個数や配置・大きさ・収納可能剤型（例えば、内服薬のみ）が固定されているため、個々の使用薬物の組み合わせに応じた調整が不可能であるという課題があった。このため、上記（ａ）、（ｄ）には対応可能であっても、（ｂ）（特に、内服薬以外の剤型が使用薬に含まれている場合）や（ｃ）（特に使用タイミングの増加・減少等により、使用薬の調整が発生した場合）に対応ができない。また、住宅事情も個々人で違いがあるため、機器全体の大きさの調整が求められるが、特許文献１乃至４に記載のような服薬管理装置では、個々の住宅事情に併せた調整が不可能であるという課題もあった。
【００１１】
高齢者の薬物療法では、本人以外に、継続的に使用する薬剤の管理をサポートする介助者（配偶者、子、子の配偶者、訪問看護師など）が存在することが多い。高齢者の薬物療法では、事前仕分けデバイスを使い、処方された複数の薬剤をあらかじめ仕分けしておくサポート法が一般的であるが、何回分・何日分の薬剤を事前に仕分けしておくかは、介助者や使用薬剤の内容、本人の管理能力により大きく異なる。これらは経時的に変化する可能性が高いものであり、途中で調整が必要になる可能性が高い。しかし、特許文献１乃至４に記載のような服薬管理装置では、そのような調整が不可能であるという課題もあった。
【００１２】
本発明は、このような課題に着目してなされたもので、薬の数・使用時間・大きさ・形状／剤型の患者間でのちがいや患者内での変更に柔軟に対応可能で、住宅事情や介助形態、薬剤使用者本人の能力に応じて調整することができる薬管理システムおよび薬収納用ケースを提供することを目的とする。
【課題を解決するための手段】
【００１３】
上記目的を達成するために、本発明に係る薬管理システムは、それぞれ使用者が１回に使用する薬を収納可能な大きさを有し、それぞれ別体として設けられた複数の収納ケースと、対応する収納ケースからの前記薬の取り出しを検知可能に、各収納ケースに対応して設けられた複数の検知手段と、各検知手段に接続され、各検知手段により検知された前記薬の取り出し情報を記録可能に設けられた記録手段とを、有することを特徴とする。各収納ケースは、それぞれ使用者が１回に使用する薬を収納可能に、それぞれ複数種類の異なる大きさのうちのいずれか１つの大きさを有していることが好ましい。
【００１４】
本発明に係る薬管理システムは、薬の量や形状、大きさ、貼付剤や吸入薬・注射剤などの種類に関わらず、使用者が１回に使用する薬を全て収納できる複数種類の異なる大きさの収納ケースを、薬の使用時間ごとに別々に準備することにより実施することができる。本発明に係る薬管理システムは、患者間や使用時間による薬の量に違いがある場合には、患者ごと、または使用時間ごとに収納ケースの大きさを変えることにより、１回に使用する薬を収納することができる。また、使用タイミングの増加や減少、薬の形状や大きさの変更などが発生したときには、収納ケースの数や大きさを変えることにより、各収納ケースに１回に使用する薬を収納することができる。このように、本発明に係る薬管理システムは、薬の数・使用時間・大きさ・形状／剤型の患者間でのちがいや患者内での変更に柔軟に対応することができる。また、薬剤使用者の介助形態や薬剤使用者本人の能力に応じて調整することもでき、薬剤を一元管理することができる。
【００１５】
また、本発明に係る薬管理システムは、使用時間によって薬が少ないときや薬の種類が少ない患者には、その薬の量に応じて小さめの収納ケースを使用することにより、収納スペースの無駄な空間を減らすこともできる。このため、本発明に係る薬管理システムは、薬の収納に必要なスペースを必要最小限度で確保することができ、各収納ケースの占有スペースを極力小さくして、設置スペースを確保しやすくすることができる。また、これにより、個々の住宅事情に併せて、設置スペースを調整することができる。
【００１６】
本発明に係る薬管理システムは、記録手段により記録された薬の取り出し情報により、使用状況を自動的に記録することができる。また、記録手段により記録された薬の取り出し情報を、使用者が医療機関を受診するときに持参したり、家族や介助者などの第三者が定期的に確認したりすることにより、アドヒアランスの確認を行うことができる。また、薬の使用量だけでなく、薬の使用時間のずれまで考慮した使用遵守割合を算出することができ、高精度な薬の使用管理を行うことができる。また、これにより、効果的な処方につなげることもできる。
【００１７】
本発明に係る薬管理システムは、複数の異なる大きさの収納ケースをあらかじめ準備しておいたり、薬の量に応じて医療機関や薬局などで最適な大きさの収納ケースを薬と共に配布したりすることにより、適切な大きさの収納ケースを使用することができる。本発明に係る薬管理システムで、各収納ケースは、複数種類の異なる色または柄から成っていてもよい。この場合、使用時間ごとに収納ケースの大きさや色・柄を変えることにより、認知機能が低下した高齢者などであっても、各収納ケースを容易に見分けることができ、使用する薬の間違いを防止することができる。
【００１８】
本発明に係る薬管理システムで、検知手段は、収納ケースごとにあらかじめ取り付けられていても、各収納ケースに後付け可能になっていてもよい。記録手段は、薬の取り出し情報を記録可能であればいかなるものであってもよく、例えば、ＳＤカードやＵＳＢメモリ等の取り外し可能な記録媒体から成っていてもよい。また、本発明に係る薬管理システムは、それぞれ「月」、「火」、・・・や、「朝食後」、「就寝前」などの使用タイミングが記載され、各収納ケースに着脱可能に設けられた複数のタイミング表示部材を有していてもよい。この場合、収納した薬の使用タイミングに対応したタイミング表示部材を各収納ケースに取り付けることにより、使用する薬の間違いを防止することができる。
【００１９】
本発明に係る薬管理システムで、各収納ケースは前記薬を収納するための収納部を有し、前記収納部は開閉可能に設けられ、各検知手段は、対応する収納ケースの前記収納部が開かれたことを検知し、前記記録手段は、前記薬の取り出し情報として、各検知手段により検知された前記収納部が開かれた日時を、対応する収納ケースに関連付けて記録することが好ましい。この場合、薬を取り出すために使用者が収納ケースを開けた日時を、薬の取り出し情報として記録することができる。各収納ケースは、引出式のものや、上面または前面に蓋や扉が付いているものなど、開閉可能な収納部を有するものであればいかなるものであってもよい。各検知手段は、接触センサや変位センサなど、収納部が開いたことを検知可能であればいかなるものであってもよい。
【００２０】
また、検知手段は、収納部が開かれたことを検知するものでなくとも、収納ケースから薬が取り出されたときの重量の変化を検知可能な重量センサや、収納ケースから薬が取り除かれたことを検知可能な赤外線センサなどから成っていてもよい。この場合、薬の取り出しを直接検知することができ、検知精度を高めることができる。
【００２１】
本発明に係る薬管理システムで、各収納ケースは、互いに積み重ね可能および／または横方向に連結可能であることが好ましい。この場合、各収納ケースを縦方向や横方向に連結することにより、各収納ケースがバラバラになるのを防ぐことができ、各収納ケースをまとめておいて容易に管理することができる。また、使用時間に合わせて並べたり、並べ変えたりすることができ、使用時間の間違いを防ぐことができる。
【００２２】
本発明に係る薬管理システムは、各収納ケースに収納された前記薬を使用する日時を、各収納ケースに対応させて記憶しておく予定記憶手段と、前記予定記憶手段に記憶された使用日時に、対応する検知手段により前記薬の取り出しを検知しなかったとき、その未検知情報を、通信回線を介して前記薬の使用を管理する管理局に送信する通信手段とを有していてもよい。この場合、薬を使用しなかったことを、管理局でリアルタイムに把握することができ、すぐに電話やメール等で使用者や家族、介護者などに知らせて、状況に応じた対応を行うことができる。使用時間のたびに使用を忘れていなくてもリマインドする場合と異なり、必要なときにだけリマインドをすることができ、使用者が不快な思いをしたり、リマインド効果が減じたりするのを防ぐことができる。
【００２３】
本発明に係る薬収納用ケースは、本発明に係る薬管理システムで使用される薬収納用ケースであって、使用者が１回に使用する薬を収納するための収納ケースと、前記収納ケースからの前記薬の取り出しを検知可能に設けられた検知手段とを、有することを特徴とする。本発明に係る薬収納用ケースは、本発明に係る薬管理システムの記録手段に検知手段を接続することにより、本発明に係る薬管理システムで使用することができる。
【発明の効果】
【００２４】
本発明によれば、薬の数・使用時間・大きさ・形状／剤型の患者間でのちがいや患者内での変更に柔軟に対応可能で、住宅事情や介助形態、薬剤使用者本人の能力に応じて調整することができる薬管理システムおよび薬収納用ケースを提供することができる。
【図面の簡単な説明】
【００２５】
【図１】本発明の実施の形態の薬管理システムを示す正面図である。
【図２】図１に示す薬管理システムの収納ケースおよび検知手段を示す（ａ）引出部を基体部に収納した状態、（ｂ）引出部を基体部から引き出した状態の斜視図である。
【図３】図１に示す薬管理システムの収納ケースおよび検知手段を示す（ａ）引出部を基体部に収納した状態、（ｂ）引出部を基体部から引き出した状態の側面図である。
【発明を実施するための形態】
【００２６】
以下、図面に基づき、本発明の実施の形態について説明する。
図１乃至図３は、本発明の実施の形態の薬管理システムを示している。
図１乃至図３に示すように、薬管理システム１０は、複数の収納ケース１１と複数の検知手段１２と記録手段１３とを有している。
【００２７】
図１乃至図３に示すように、各収納ケース１１は、それぞれ引出式のケースから成り、それぞれ独立した別体として設けられている。各収納ケース１１は、前面開口２１ａを有する直方体の箱型の基体部２１と、基体部２１の前面開口２１ａから手前に向かって引出可能に設けられた引出部２２とを有している。各収納ケース１１は、引出部２２の内部が薬を収納するための収納部２３になっており、引出部２２を出し入れすることにより、収納部２３が開閉可能になっている。引出部２２は、前面に取っ手２２ａを有している。
【００２８】
各収納ケース１１は、それぞれ同じ大きさおよび形の平面形状を有し、複数種類の異なる高さのうちいずれか１つの高さを有している。各収納ケース１１は、処方される貼付剤や吸入薬・注射剤などのうち、平面形状が最も大きいものよりも大きい平面形状を有している。また、各収納ケース１１は、使用者が１回に使用する薬が全て収納可能な高さのものを、使用者が任意に選択できるようになっている。なお、具体的な一例では、各収納ケース１１は、幅および奥行きが５〜数１０ｃｍ、高さが数ｃｍ〜数１０ｃｍである。
【００２９】
各収納ケース１１は、基体部２１の上面に嵌合凸部２１ｂを有し、基体部２１の下面に、嵌合凸部２１ｂに嵌合可能な嵌合凹部２１ｃを有している。これにより、各収納ケース１１は、高さが同じものであっても異なるものであっても、互いに積み重ね可能になっている。なお、各収納ケース１１は、基体部２１の一方の側面に嵌合凸部を有し、基体部２１の他方の側面に、その嵌合凸部に嵌合可能な嵌合凹部を有していてもよい。この場合、各収納ケース１１を横方向に連結することができる。
【００３０】
なお、図１乃至図３に示す具体的な一例では、嵌合凸部２１ｂは、縦横２つずつ規則的に並んだ４つの円形の凸部から成り、嵌合凹部２１ｃは、その４つの凸部の外側にぴったり嵌るよう設けられた矩形状の凹部から成っている。これにより、各収納ケース１１は、1つの収納ケース１１の真上に、他の収納ケース１１を積み重ねるだけでなく、横に並んだ２つの収納ケース１１の隣り合う４つの凸部を利用することにより、その２つの収納ケース１１に跨がって、それらの上に他の収納ケース１１を積み重ねることができるようになっている。
【００３１】
図２および図３に示すように、各検知手段１２は、接触センサから成り、各収納ケース１１に対応して、各収納ケース１１の基体部２１の内側背面部に取り付けられている。図２（ａ）および図３（ａ）に示すように、各検知手段１２は、引出部２２が基体部２１に収納されているとき、引出部２２の背面と基体部２１の内側背面との接触状態を感知し、図２（ｂ）および図３（ｂ）に示すように、引出部２２が基体部２１から引き出されたとき接触状態が解除されたことを感知するよう設けられている。これにより、各検知手段１２は、対応する収納ケース１１の収納部２３が開かれたことを検知可能になっている。なお、検知手段１２は、各収納ケース１１に後付け可能であってもよい。
【００３２】
図１に示すように、記録手段１３は、各検知手段１２を接続可能な接続端子（図示せず）を複数有しており、記録媒体２４を着脱可能に構成されている。記録手段１３は、各接続端子で各検知手段１２に接続されており、各検知手段１２が対応する収納ケース１１の収納部２３が開かれたことを検知したとき、薬の取り出し情報として、その検知した日時を、対応する収納ケース１１に関連付けて記録媒体２４に記録可能になっている。なお、具体的な一例では、記録媒体２４はＳＤカードである。
【００３３】
次に、作用について説明する。
薬管理システム１０は、薬の量や形状、大きさ、貼付剤や吸入薬・注射剤などの種類に関わらず、使用者が１回に使用する薬を全て収納できる複数種類の異なる大きさの収納ケース１１を、薬の使用時間ごとに別々に準備することにより実施することができる。図１に示すように、薬管理システム１０は、患者間や使用時間による薬の量に違いがある場合には、患者ごと、または使用時間ごとに収納ケース１１の大きさを変えることにより、１回に使用する薬を収納することができる。また、使用タイミングの増加や減少、薬の形状や大きさの変更などが発生したときには、収納ケース１１の数や大きさを変えることにより、各収納ケース１１に１回に使用する薬を収納することができる。このように、薬管理システム１０は、薬の数・使用時間・大きさ・形状／剤型の患者間でのちがいや患者内での変更に柔軟に対応することができる。また、薬剤使用者の介助形態や薬剤使用者本人の能力に応じて調整することもでき、薬剤を一元管理することができる。
【００３４】
また、薬管理システム１０は、使用時間によって薬が少ないときや薬の種類が少ない患者には、その薬の量に応じて小さめの収納ケース１１を使用することにより、収納スペースの無駄な空間を減らすこともできる。このため、薬管理システム１０は、薬の収納に必要なスペースを必要最小限度で確保することができ、各収納ケース１１の占有スペースを極力小さくして、設置スペースを確保しやすくすることができる。また、これにより、個々の住宅事情に併せて、設置スペースを調整することができる。
【００３５】
薬管理システム１０は、記録手段１３により記録された薬の取り出し情報により、薬の使用状況を自動的に記録することができる。また、薬の取り出し情報が記録された記録媒体２４を、使用者が医療機関を受診するときに持参したり、家族や介助者などの第三者がその記録を定期的に確認したりすることにより、アドヒアランスの確認を行うことができる。また、薬の使用量だけでなく、薬の使用時間のずれまで考慮した使用遵守割合を算出することができ、高精度な薬の使用管理を行うことができる。また、これにより、効果的な処方につなげることもできる。
【００３６】
薬管理システム１０は、複数の異なる大きさの収納ケース１１をあらかじめ準備しておいたり、薬の量に応じて医療機関や薬局などで最適な大きさの収納ケース１１を薬と共に配布したりすることにより、適切な大きさの収納ケース１１を使用することができる。薬管理システム１０は、各収納ケース１１を積み重ねて連結することができ、各収納ケース１１がバラバラになるのを防ぐことができる。また、各収納ケース１１をまとめておいて容易に管理することもできる。また、使用時間に合わせて並べたり、並べ変えたりすることができ、使用時間の間違いを防ぐこともできる。
【００３７】
なお、薬管理システム１０で、各収納ケース１１は、複数種類の異なる色または柄から成っていてもよい。この場合、使用時間ごとに収納ケース１１の大きさや色・柄を変えることにより、認知機能が低下した高齢者などであっても、各収納ケース１１を容易に見分けることができ、使用する薬の間違いを防止することができる。また、薬管理システム１０は、それぞれ「月」、「火」、・・・や、「朝食後」、「就寝前」などの使用タイミングが記載され、各収納ケース１１に着脱可能に設けられた複数のタイミング表示部材を有していてもよい。この場合にも、収納した薬の使用タイミングに対応したタイミング表示部材を各収納ケース１１に取り付けることにより、使用する薬の間違いを防止することができる。
【００３８】
また、薬管理システム１０は、各収納ケース１１に収納された薬を使用する日時を、各収納ケース１１に対応させて記憶しておく予定記憶手段と、予定記憶手段に記憶された使用日時に、対応する検知手段１２により薬の取り出しを検知しなかったとき、その未検知情報を、通信回線を介して薬の使用を管理する管理局に送信する通信手段とを有していてもよい。この場合、例えば、通信機能を有するパーソナルコンピュータや管理サーバ等が、各検知手段１２に接続され、記録手段１３と予定記憶手段と通信手段とをその機能として有していてもよい。なお、管理局としては、使用者に薬を処方した病院や薬局、使用者の家族や介護者などである。通信回線は、例えば、インターネット回線や携帯電話回線などである。
【００３９】
この通信手段を利用して薬の使用の管理を行う場合、薬を使用しなかったことを、管理局でリアルタイムに把握することができ、すぐに電話やメール等で使用者や家族、介護者などに知らせて、状況に応じた対応を行うことができる。使用時間のたびにリマインドを行う従来のシステムでは、薬の使用を忘れていなくても使用者にリマインドするため、使用者が不快な思いをして、かえって逆効果になることもあったが、本構成では、必要なときにだけリマインドをすることができ、使用者が不快な思いをしたり、リマインド効果が減じたりするのを防ぐことができ、効果的である。
【００４０】
薬管理システム１０は、多剤併用患者のうち、いわゆる「意図的ではないノンアドヒアランス（unintentional nonadherence）」または「条件付アドヒアランス（conditional adherence）」に分類される患者に対して利用されると効果的である。このようなタイプの不遵守が発生しやすいのは、併用薬剤数が多い場合や高齢者の場合であるが、必ずしもそのような状況に使用が限られるものではない。
【符号の説明】
【００４１】
１０  薬管理システム
１１  収納ケース
２１  基体部
２１ａ  前面開口
２１ｂ  嵌合凸部
２１ｃ  嵌合凹部
２２  引出部
２２ａ  取っ手
２３  収納部
１２  検知手段
１３  記録手段
２４  記録媒体
【図１】
2015213583.tif 000003
【図２】
2015213583.tif 000004
【図３】
2015213583.tif 000005